(57)【要約】【課題】靴や草履等の履物を載置する棚板を有効に利用して傘を引掛け保持して収納可能とし、靴べら、折畳式ベビーカー等の長尺物品をも使い勝手よく収納できる玄関収納装置を提供する。【解決手段】背板２および四周側板により前面に開口部４を有した箱体Ｂと、この箱体Ｂの上下方向に間隔をおいて適宜位置に配設される棚板１とを備えた玄関収納装置Ａにおいて、上記棚板１の載置面の前方側に傘の略Ｊ字状持ち手の先端部を引掛ける引掛溝１１を設けたことを特徴とする玄関収納装置Ａ。【選択図】図２
2013252279.tif 000002
【特許請求の範囲】
【請求項１】
背板および四周側板により前面に開口部を有した箱体と、この箱体の上下方向に間隔をおいて適宜位置に配設される棚板と、を備えた玄関収納装置において、上記棚板の載置面の前方側に傘の略Ｊ字状持ち手の先端部を引掛ける引掛溝を設けたことを特徴とする玄関収納装置。
【請求項２】
上記引掛溝が上記棚板の載置面の前方側から後方側にかけて複数個並設されている請求項１に記載の玄関収納装置。
【請求項３】
上記引掛溝の底面は前方側が浅く後方側が深い傾斜状に形成されている請求項１または請求項２に記載の玄関収納装置。
【発明の詳細な説明】
【技術分野】
【０００１】
本願発明は玄関に設置される収納装置に関し、さらに詳しくは、靴や草履等の履物や靴べら、傘等の日常使用する物品を使い勝手よく収納できる玄関収納装置の構造に関するものである。
【背景技術】
【０００２】
近年、生活様式の多様化、家族構成の変化等によって玄関にはさまざまな物品が収納される。例えば、小さい子供がいる場合には折畳式ベビーカーの収納スペースが望まれ、また、ゴルフバッグ等のスポーツ用品類をかさばらないよう収納することも求められる。
【０００３】
そこで、従来、靴や草履等の履物を収納する下足箱に上記したかさばる品物や、傘や掃き出しほうき、エアポンプ、靴べら等の長尺物品等を収納するスペースを備え、玄関の空間を有効に利用するための玄関収納装置が提案されている。例えば、実用新案登録第３１６０５３７号公報には下足入れ兼用の玄関収納構造が開示されている。
【０００４】
すなわち、上記公報には、傘、折畳式ベビーカー、スポーツ用品、ゴルフバッグ、掃き出しほうき、エアポンプ、靴べら等の長尺物品を床面に起立させた状態で選択的に収納可能な縦収納スペースを有し、前記縦収納スペースの床面の近傍で該縦収納スペースの両側内面に一対の水受け支持部材が設けられ、前記水受け支持部材に傘用水受皿が着脱可能に取り付けられた玄関収納構造が記載されている。
【０００５】
本願図３（ａ）は、上記実用新案登録第３１６０５３７号公報に記載の玄関収納構造Ｃの縦収納スペース６内に濡れ傘を収納した様子を示す正面図である。図３（ａ）において、上記玄関収納構造Ｃの左側スペースは靴等の下足入れスペース７とされており、この下足入れスペース７の棚板７１の奥行は靴箱のサイズに合わせて設定されている。
【０００６】
また、本願図３（ｂ）は、上記縦収納スペース６の断面説明図である。図示するように上記縦収納スペース６には、傘本体９や図示していない折畳式ベビーカー、スポーツ用品、ゴルフバッグ、掃き出しほうき、エアポンプ、靴べら等の長尺物品を床面に起立させた状態で選択的に収納可能とされている。ここで、上記縦収納スペース６の扉近傍でこの縦収納スペース６の両側内面にバー支持部材が設けられ、上記長尺物品の転倒を防止するための転倒防止用バー６１が架設されている。
【０００７】
なお、符号８は傘用水受け皿であり、縦収納スペース６の床面Ｆａから離間して設けられるとともに、上記床面Ｆａは玄関床面Ｆを共用しており、段差なくフラットに構成されている。
【先行技術文献】
【特許文献】
【０００８】
【特許文献１】実用新案登録第３１６０５３７号公報
【発明の概要】
【発明が解決しようとする課題】
【０００９】
上記実用新案登録第３１６０５３７号公報に記載の下足入れ兼用の玄関収納構造は、傘等の長尺物品を床面に起立させた状態で選択的に収納可能とされているが、例えば、折畳式ベビーカー等のかさばる長尺物品を収納するとこれらによって上記縦収納スペースが占有されてしまい、傘収納の自由度に欠けるという問題がある。
【００１０】
本願発明は、このような状況に鑑みてなされたものであり、靴や草履等の履物を載置する棚板を有効に利用して傘を引掛け保持し、収納可能とするとともに、靴べら、折畳式ベビーカー、スポーツ用品、ゴルフバッグ、掃き出しほうき、エアポンプ等の長尺物品をも使い勝手よく収納できる玄関収納装置を提供することである。
【課題を解決するための手段】
【００１１】
上記課題を解決するために、本願請求項１に記載の発明に係る玄関収納装置は、背板および四周側板により前面に開口部を有した箱体と、この箱体の上下方向に間隔をおいて適宜位置に配設される棚板と、を備えた玄関収納装置において、上記棚板の載置面の前方側に傘の略Ｊ字状持ち手の先端部を引掛ける引掛溝を設けたことを特徴としている。
【００１２】
本願請求項２に記載の発明では、上記請求項１に記載の玄関収納装置において、上記引掛溝は上記棚板の載置面の前方側から後方側にかけて複数個並設されていることを特徴としている。
【００１３】
本願請求項３に記載の発明では、上記請求項１または請求項２記載の玄関収納装置において、上記引掛溝の底面は前方側が浅く後方側が深い傾斜状に形成されていることを特徴としている。
【発明の効果】
【００１４】
本願請求項１記載の発明に係る玄関収納装置においては、この玄関収納装置の箱体の上下方向に間隔をおいてて適宜位置に配設される合板、ＭＤＦ、パーティクルボード等の木質系基材からなる棚板の靴等を載置する載置面の前方側に引掛溝が刻設されているため、この引掛溝に雨傘、日傘等の傘類の持ち手の略Ｊ字状の先端部を引掛けることができる。
【００１５】
そして、靴等の履物を載置する棚板の前側に刻設された引掛溝を傘類を引掛けて保持する保持手段として利用することが可能となり、下足箱の前方の空間を傘類の収納スペースとして有効に活用できる。
【００１６】
このように、玄関に上記玄関収納装置を設けることによって、種々の物品を要領よく収納処理できるため、玄関の空間を使い勝手よく有効に利用することが可能となる。
【００１７】
本願請求項２記載の発明に係る玄関収納装置においては、上記棚板の載置面の前方側から後方側にかけて引掛溝が複数個並設されているので、例えば載置面の前方に２本の引掛溝を並設することによって、こども用等の持ち手の小さい傘は手前側の引掛溝に掛け、大人用の持ち手の大きな傘は後ろ側の引掛溝に選択的に掛けることができる。そのため、雨傘や日傘、こども用、大人用等大小各種の傘を整然と収納することが可能となり、下足箱の前方の空間を有効に利用できる。
【００１８】
本願請求項３記載の発明に係る玄関収納装置においては、上記引掛溝の底面が前方側が浅く後方側が深く傾斜して形成されているため、傘の持ち手の略Ｊ字状先端部が上記底面の傾斜に沿ってぴったりと納まり（図２（ｂ）参照）、傘の持ち手の垂直部分が棚板の先端面に沿って略垂直となるため、傘本体が斜めとなることなく、箱体内に整然と収納することができる。又、略Ｊ字状先端部５１の最下端部が底面１１１の奥方に滑り移動するとともに、傘の持ち手５の垂直部５２が棚板１の先端部に支承されるため、傘本体９が斜め内方に垂下されることを抑制し、傘が濡れているときは傘下端部からの水滴が箱体Ｂ内の棚板１に向かってに落下するのを極力防ぐことができる。
【図面の簡単な説明】
【００１９】
【図１】本願発明に係る玄関収納装置を示す一部断面説明図である。
【図２】（ａ）本願発明に係る棚板の載置面の前方側から後方側にかけて引掛溝が２列に並設された形態を示す側面説明図である。（ｂ）本願発明に係る引掛溝の底面をその前方側が浅く後方側が深くなるよう傾斜させて形成した実施の形態を示す側面説明図である。
【図３】（ａ）公知技術に係る玄関収納構造の縦収納スペース内に濡れ傘を収納した様子を示す正面図である。（ｂ）公知技術に係る玄関収納構造の縦収納スペース内に濡れ傘を収納した様子を示す断面図である。
【発明を実施するための形態】
【００２０】
以下、本願発明に係る玄関収納装置の実施形態について図面を参照して詳細に説明する。図１は、上記玄関収納装置Ａを示す一部断面説明図である。
【００２１】
図１に示すように、上記玄関収納装置Ａは、背板２および天板３１、左側板３２、図示しない右側板、底板の四周側板により前面に開口部４を有した箱体Ｂと上下方向に間隔をおいて配設された複数個の棚板１とからなり、最上位置に配設された棚板１の載置面の前方側には傘の略Ｊ字状の持ち手の先端部を引掛ける引掛溝１１が設けられている。図示例においては、最上位置に配設された棚板１のみに引掛溝１１が一個形成されているが、各棚板１のそれぞれに引掛溝１１を形成してもよい。各棚板１には必要に応じて、靴等の履物類が載置される。
【００２２】
合板、ＭＤＦ、パーティクルボード等の木質系基材からなる棚板１は、上記箱体Ｂの左右側板に埋設された雌ネジ部に螺合する前一対、後一対の支持ボルトＥで載架され、雨傘、日傘等の傘類の持ち手の略Ｊ字状の先端部は、上記棚板１の載置面の前方側に刻設された引掛溝１１に引掛けて保持される。
【００２３】
図２（ａ）は、上記棚板１の載置面の前方側から後方側にかけて引掛溝１１ａと引掛溝１１ｂとが２列に並設された形態を示す側面説明図である。上記のように引掛溝１１ａと引掛溝１１ｂとを並設することによって、こども用等の持ち手の小さい傘は手前側の引掛溝１１ａに掛け、大人用等の持ち手の大きな傘は引掛溝１１ｂに掛けることができる。
【００２４】
このようにすることによって、雨傘や日傘、こども用、大人用等の大小各種の傘に対応して本願発明に係る玄関収納装置Ａ内に整然と収納することができる。なお、符号Ｄは前記した棚板１を支持する支持ボルトＥ（図１参照）に係合する係合凹部を示す。
【００２５】
図２（ｂ）は、上記引掛溝１１ａ、引掛溝１１ｂのそれぞれの底面１１１をその前方側が浅く後方側が深くなるよう傾斜させて形成した実施の形態を示す側面説明図である。図示するように上記底面１１１を斜設することにより、傘の持ち手５の略Ｊ字状先端部５１が底面１１１の傾斜に沿ってぴったりと納まり、或いは略Ｊ字状先端部５１の最下端部が底面１１１の奥方に滑り移動し、傘の持ち手５の垂直部５２が棚板１の先端面に沿って略垂直に支承されるため、傘本体９が内方に向かって斜め下方に垂下されることを抑制する。このため、傘が濡れているときは傘下端部からの水滴が箱体Ｂ内の棚板１に向かって落下するのを極力防ぐとともに、傘を箱体内に整然と収納することができる。
【００２６】
したがって、日傘や使用後の乾燥した傘を玄関に雑然と置くことなく、多数の傘を玄関収納装置Ａに整然と収納することが可能となり、玄関のスペースを有効に利用することができる。
【００２７】
なお、図２において、引掛溝１１を２列に並設する場合について説明したが、２列のみならず３列としてもよい。また、最上段の棚板１の載置面に引掛溝１１ａ、引掛溝１１ｂ
を設けた形態について説明したが最上段のみならず複数段、例えば２段目、３段目の棚板１の載置面の前方側から後方側にかけて引掛溝１１ａ、引掛溝１１ｂを設けてもよい。
【００２８】
さらに、引掛溝１１の底面１１１を前方側が浅く後方側にかけて直線的に深く傾斜した例を示したが、底面１１１を湾曲して後方にかけて深くしてもよい。このように本願発明に係る玄関収納装置は設計変更自在であり、特許請求の範囲を逸脱しない限り、いずれの場合も本願発明の技術的範囲に属する。
【符号の説明】
【００２９】
Ａ      本願発明に係る玄関収納装置
Ｂ      本願発明に係る箱体
Ｃ      公知の玄関収納構造
Ｄ      棚板を支持する支持ボルトに係合する係合凹部
Ｅ      支持ボルト
１      棚板
１１    引掛溝
１１１  底面
１１ａ  棚板の載置面の前方側に刻設された引掛溝
１１ｂ  棚板の載置面の後方側に刻設された引掛溝
２      背板
３１    天板
３２    左側板
４      開口部
５      傘の持ち手
５１    略Ｊ字状先端部
５２    垂直部
６      公知技術における縦収納スペース
６１    公知技術において長尺物品の転倒を防止するための転倒防止用バー
７      公知技術における下足入れスペース
７１    公知技術における棚板
８      公知技術における傘用水受け皿
９      傘本体
Ｆ      公知技術における玄関床面
Ｆａ    公知技術における縦収納スペースの床面
【図１】
2013252279.tif 000003
【図２】
2013252279.tif 000004
【図３】
2013252279.tif 000005